(57)【特許請求の範囲】
【請求項１】
内容物を充填する合成樹脂製の容器本体と、容器本体に装着される吐出器と、少なくともこの容器本体の外側面にその周方向に間隔を空けて固定される２つの固定部を有し、当該固定部にそれぞれ、固定部の下端を基点として折り畳んだ状態からの開きが可能な蛇腹部を介して受け板部を連結してなるポケットを設け、当該ポケットをシート材で構成したことを特徴とするポケット付きの合成樹脂製吐出容器。
【請求項２】
請求項１において、前記蛇腹部を構成する各部位の表面を、互いに固定及び剥離の可能な粘着性の表面に構成したことを特徴とするポケット付きの合成樹脂製吐出容器。
【請求項３】
請求項１又は２において、前記受け板部に、ポケットを引き出し及び折り畳むための摘みを設けたことを特徴とするポケット付きの合成樹脂製吐出容器。
【請求項４】
請求項１乃至３のいずれか１項において、前記ポケットは、その折り畳み状態で、受け板部の外側縁が固定部の外側縁よりも内側に配置されるものであることを特徴とするポケット付きの合成樹脂製吐出容器。
【請求項５】
請求項１乃至４のいずれか１項において、ポケットをインサート品としたインモールド成形品としてなることを特徴とするポケット付きの合成樹脂製吐出容器。
【請求項６】
請求項１乃至４のいずれか１項において、ポケットをラベル又はフィルムとした接着品としてなることを特徴とするポケット付きの合成樹脂製吐出容器。
【発明の詳細な説明】
【技術分野】
【０００１】
本発明は、例えば、合成樹脂製の容器に装着した吐出器からの液垂れを防止するための技術に関するものである。
【背景技術】
【０００２】
従来の合成樹脂製容器としては、例えば、吐出器としてポンプを装着したものがある（例えば、特許文献１参照）。
【先行技術文献】
【特許文献】
【０００３】
【特許文献１】特開２０００−１６４６６号公報
【発明の概要】
【発明が解決しようとする課題】
【０００４】
しかしながら、こうした従来の容器は、ポンプ動作を惹起させる押圧ヘッドと一体にノズルを設け、このノズルから内容液を注出するため、ノズル先端から内容液が垂れると、机や床を汚してしまう虞がある。
【０００５】
本発明の目的とするところは、容器の内容液が垂れ落ちることがあっても、容器の周囲を汚すことのない合成樹脂製の吐出容器を提供することにある。
【課題を解決するための手段】
【０００６】
本発明である、ポケット付きの合成樹脂製吐出容器は、内容物を充填する合成樹脂製の容器本体と、容器本体に装着される吐出器と、少なくともこの容器本体の外側面にその周方向に間隔を空けて固定される２つの固定部を有し、当該固定部にそれぞれ、固定部の下端を基点として折り畳んだ状態からの開きが可能な蛇腹部を介して受け板部を連結してなるポケットを設け、当該ポケットをシート材で構成したことを特徴とするものである。
【０００７】
ポケットは、容器本体の外側面に対し、受け板部の下端が接するように設けることが好ましく、更には、受け板部の下端が容器本体の外側面に液密状態に固定されることが好ましい。但し、本発明に従えば、受け板部の下端が液密状態に固定されることは任意である。
【０００８】
本発明によれば、前記蛇腹部を構成する各部位の表面を、互いに固定及び剥離の可能な粘着性の表面に構成することができる。具体例としては、シート材を互いに固定及び剥離の可能な粘着性を有する合成樹脂材料で構成し、或いは、シート材の表面に、シート材を互いに固定及び剥離の可能な粘着層を設けることができる。
【０００９】
また、本発明によれば、前記受け板部に、ポケットを引き出し及び折り畳むための摘みを設けることができる。
【００１０】
加えて、本発明に従えば、前記ポケットを、その折り畳み状態で、受け板部の外側縁が固定部の外側縁と一致するように配置することも可能であるが、その折り畳み状態で、受け板部の外側縁が固定部の外側縁よりも内側に配置されるものとすることができる。
【００１１】
更に、本発明は、ポケットをインサート品としたインモールド成形品としてなるものとすることができる。また、本発明は、ポケットをラベル又はフィルムとした接着品としてなるものとすることができる。従って、シート材としては、例えば、合成樹脂材料に限定されることなく、合成樹脂製のシート材以外にも、例えば、紙シートや、紙シートに合成樹脂材料をコーティングしたものなどが挙げられる。
【発明の効果】
【００１２】
本発明によれば、内容液を注出する際には、ポケットを引き出して開くことで、ノズル先端から垂れ落ちた内容液を受けることができる。従って、本発明によれば、容器の内容液が垂れ落ちることがあっても、容器の周囲を汚すことのない合成樹脂製の吐出容器を提供することができる。
【００１３】
なお、本発明に係るポケットは、内容液だけでなく、不要となった拭き取りゴミ等を収納するためのポケットとして機能させることもできる。
【００１４】
また、本発明によれば、そのポケットは引き出し及び折り畳みが可能であるところから、例えば、ポケットを折り畳んだ状態で出荷すれば、ポケットが邪魔になることなく、持ち運びに便利である。このため、従来と同様の流通過程に載せることができる。
【００１５】
また、前記蛇腹部の表面を、互いに固定及び剥離の可能な粘着面とすれば、ポケットを流通段階だけでなく、使用後に折り畳むことで、省スペース化を図ることができる。
【００１６】
加えて、前記受け板部に、ポケットを引き出し及び折り畳むための摘みを設ければ、ポケットの容易な引き出し及び折り畳みを実現することができる。
【００１７】
また、前記ポケットを、その折り畳み状態で、受け板部の外側縁が固定部の外側縁よりも内側に配置されるものとしても、ポケットの容易な引き出し及び折り畳みを実現することができる。
【図面の簡単な説明】
【００１８】
【図１】本発明の第１の形態である、ポンプを装着したポケット付き合成樹脂製ボトルであって、そのポケットが折り畳まれた状態を示す斜視図である。
【図２】同形態のボトルであって、そのポケットが引き出された状態を示す斜視図である。
【図３】同形態に係る、ポケットを構成するシート材の展開図である。
【図４】本発明の第２の形態である、ポンプを装着したポケット付き合成樹脂製ボトルであって、そのポケットが折り畳まれた状態を示す斜視図である。
【図５】同形態のボトルであって、そのポケットが引き出された状態を示す斜視図である。
【図６】同形態に係る、ポケットを構成するシート材の展開図である。
【発明を実施するための形態】
【００１９】
以下、図面を参照して、本発明である、合成樹脂製のポケット付き吐出容器を詳細に説明する。
【００２０】
符号１は、例えば、消毒薬を内容液とする容器本体としての合成樹脂製のブロー成形ボトル（以下、「ボトル」）である。ボトル１の口部には、ポンプ２が装着されている。ポンプ２は、使用者の押し下げ操作によって押し込まれる一方、その押し下げが解除されることで復帰する押圧ヘッド２ａを有する。これにより、押圧ヘッド２ａは、ポンプ動作を惹起させ、一体に設けられたノズル２ｂを通して内容液を外界に吐出する。
【００２１】
符号３は、後述する１枚のシート材Ｓ1からなるポケットである。ポケット３は、図２に示すように、ボトル１の胴部外側面１ｆにその周方向に間隔を空けて固定される２つの固定部３ａを有し、当該固定部３ａにそれぞれ、固定部３ａの下端を基点として、図１に示すように折り畳んだ状態からの開きが可能な扇状の蛇腹部３ｂを介して受け板部３ｃを連結してなる。
【００２２】
かかるポケット３を形作るに際し、シート材Ｓ1は、例えば、伸縮可能な合成樹脂で構成され、図３に示すように、その外観形状がほぼ扇状をしてなり、その下端ｅ1は、同図に示すように直線を構成する。ポケット３は、シート材Ｓ1の下端ｅ1のうち、当該下端ｅ1に沿って間隔を空けて配置された２つの点３ｐを基点として、当該シート材Ｓ1の両端をそれぞれ、シート材の上端ｅ2に向かって折り線Ｌ1〜Ｌ3から順次折り畳むことで形成される。即ち、折り線Ｌ1は、固定部３ａと蛇腹部３ｂとを区画する一方、折り線Ｌ2は、蛇腹部３ｂを２つの部位３ｂ1及び３ｂ2に区画し、更に、折り線Ｌ3は、蛇腹部３ｂと受け板部３ｃとを区画する。
【００２３】
例えば、図３を正面図としてみた場合、固定部３ａは、折り線Ｌ1を基点に図面裏側から、蛇腹部３ｂ（蛇腹部３ｂにおける固定部側部位３ｂ1）の裏側に折り込むことで三角形状に形作られる。また、蛇腹部３ｂは、折り線Ｌ2を基点に図面表側から、固定部側部位３ｂ1を固定部３ａと共に受け板部側部位３ｂ2の表側に折り込むことで固定部側部位３ｂ1は三角形状に形作られる。更に、受け板部３ｃは、折り線Ｌ3を基点に図面裏側から、蛇腹部３ｂを固定部３ａと共に受け板部３ｃの裏側に折り込むことで受け板部側部位３ｂ2は三角形状に形作られる。
【００２４】
これにより、ポケット３は、固定部３ａの各下端３ｐを基点に、ボトル１の外側面１ｆに対して、図１に示すような折り畳みと、図２に示すような引き出しとが可能になる。なお、図３にて、符号３ａfは、固定部３ａの裏面であって、ボトル１の外側面１ｆに固定される部分である。
【００２５】
また、受け板部３ｃは、その下端３ｅ1が上端３ｅ2に比べて長いほぼ台形状をなし、その上端３ｅ2には、使用者が把持する摘み３ｃ1が一体に設けられている。これにより、使用者が摘み３ｃ1を把持して操作すれば、ポケット３の引き出し及び折り畳みを容易に行うことができる。
【００２６】
図４〜６は、本発明の他の形態である。以下、第１の形態と実質的に同一な部分は、同一符号をもって示し、その特徴的な部分について説明する。
【００２７】
符号４は、後述する１枚のシート材Ｓ2からなるポケットである。ポケット４も、図５に示すように、ボトル１の外側面１ｆにその周方向に間隔を空けて固定される２つの固定部４ａを有し、当該固定部４ａにそれぞれ、固定部３ａの下端を基点として、図４に示すように折り畳んだ状態からの開きが可能なＬ字状の蛇腹部４ｂを介して受け板部４ｃを連結してなる。
【００２８】
かかるポケット４を形作るに際しても、シート材Ｓ2も、例えば、シート材Ｓ1と同様、伸縮可能な合成樹脂で構成され、図６に示すように、その外観形状がほぼ扇状をしてなり、シート材Ｓ1と同様、その下端ｅ2は、同図に示すように直線を構成する。ポケット４は、シート材Ｓ2の下端ｅ1のうち、当該下端ｅ1に沿って間隔を空けて配置された２つの点４ｐを基点として、当該シート材Ｓ2の両端をそれぞれ、シート材Ｓ2の上端ｅ2に向かって折り線Ｌ1〜Ｌ3から順次折り畳むことで形成される。即ち、折り線Ｌ1は、固定部４ａと蛇腹部４ｂとを区画する一方、折り線Ｌ2は、他の折り線Ｌ1及びＬ3よりも短くすることで、蛇腹部４ｂを２つの部位４ｂ1及び４ｂ2の間に切り欠きＣ4を形成するように区画し、更に、折り線Ｌ3は、蛇腹部４ｂと受け板部４ｃとを区画する。
【００２９】
例えば、図６を正面図としてみた場合、固定部４ａは、折り線Ｌ1を基点に図面裏側から、蛇腹部４ｂ（蛇腹部４ｂにおける固定部側部位４ｂ1）の裏側に折り込むことで台形状に形作られる。また、蛇腹部４ｂは、折り線Ｌ2を基点に図面表側から、固定部側部位４ｂ1を固定部４ａと共に受け板部側部位４ｂ2の表側に折り込むことで固定部側部位４ｂ1は台形状に形作られる。更に、受け板部４ｃは、折り線Ｌ3を基点に図面裏側から、蛇腹部４ｂを固定部４ａと共に受け板部４ｃの裏側に折り込むことで受け板部側部位４ｂ2は台形状に形作られる。
【００３０】
これにより、ポケット４も、固定部４ａの各下端４ｐを基点に、ボトル１の外側面１ｆに対して、図４に示すような折り畳みと、図５に示すような引き出しとが可能になる。なお、図６にて、符号４ａfは、固定部４ａの裏面であって、ボトル１の外側面１ｆに固定される部分である。
【００３１】
また、本形態において、受け板部４ｃは、その下端４ｅ1が上端４ｅ2に等しいほぼ矩形の形状をなし、その上端４ｅ2には、第１の形態と同様、摘み４ｃ1が設けられているが、第１の形態の摘み３ｃ1も同様に省略することも可能である。
【００３２】
上述のとおり、本発明によれば、内容液を注出する際には、ポケット３（４）を引き出して開くことで、ノズル２ｂ先端から垂れ落ちた内容液を受けることができる。従って、本発明によれば、ボトル１の内容液が垂れ落ちることがあっても、ボトル１の周囲を汚すことのない合成樹脂製の容器を提供することができる。
【００３３】
なお、本発明に係るポケット３（４）は、内容液だけでなく、不要となった拭き取りゴミ等を収納するためのポケットとして機能させることもできる。
【００３４】
また、本発明によれば、そのポケット３（４）は引き出し及び折り畳みが可能であるところから、例えば、ポケット３（４）を折り畳んだ状態で出荷すれば、ポケット３（４）が邪魔になることなく、持ち運びに便利である。このため、従来と同様の流通過程に載せることができる。
【００３５】
また、本発明に従えば、蛇腹部３ｂ（４ｂ）を構成する固定部側部位３ｂ1（４ｂ1）及び受け板部側部位３ｂ2（４ｂ2）の各表面を、互いに固定及び剥離の可能な粘着性の表面とすることができる。具体例としては、例えば、シート材Ｓ1（Ｓ2）を互いに固定及び剥離の可能な粘着性を有する合成樹脂材料で構成し、或いは、シート材Ｓ1（Ｓ2）の表面に、シート材Ｓ1（Ｓ2）を互いに固定及び剥離の可能な、上述した如くの合成樹脂材料からなる粘着層を設けることができる。かかる構成によれば、ポケット３（４）を流通段階だけでなく、使用後に折り畳むことで、省スペース化を図ることができる。
【００３６】
なお、本形態において、蛇腹部３ｂ（４ｂ）は、固定部側部位３ｂ1（４ｂ1）及び受け板部側部位３ｂ2（４ｂ2）からなる２つ折りの構成であるが、本発明に従えば、蛇腹部３ｂ（４ｂ）は、複数折りとすることができる。従って、蛇腹部３ｂ（４ｂ）は、少なくとも２つの部位で構成されるものであればよい。
【００３７】
また、受け板部３ｃ（４ｃ）に、ポケット３（４）を引き出し及び折り畳むための摘みを設ければ、ポケット３（４）の容易な引き出し及び折り畳みを実現することができる。
【００３８】
加えて、本発明に従えば、ポケット３（４）を、その折り畳み状態で、受け板部３ｃ（４ｃ）の外側縁となる折れ線Ｌ3が固定部３ａ（４ａ）の外側縁となる折れ線Ｌ1と一致するように配置することも可能であるが、本形態の如く、ポケット３（４）を、その折り畳み状態で、受け板部３ｃ（４ｃ）の外側縁となる折れ線Ｌ3が固定部３ａ（４ａ）の外側縁となる折れ線Ｌ1よりも寸法Ｃだけ内側に配置されるものとすれば、ポケット３（４）の容易な引き出し及び折り畳みを実現することができる。
【００３９】
なお、寸法Ｃは、ボトル１やポケット３（４）の大きさ、形状、材質、或いは、用途等に応じて、適宜、設計変更することができる。例えば、本形態では、ポケット３（４）の下端３ｅ1と固定部３ａ（４ａ）の下端３ｐ（４ｐ）とを一致させているが、ポケット３（４）の下端３ｅ1が固定部３ａ（４ａ）の下端３ｐ（４ｐ）よりも固定部３ａ（４ａ）側にオーバーラップするように折り畳む構成を取ることもできる。
【００４０】
更に、本発明によれば、上述した各形態は、ポケット３（４）をインサート品としたインモールド成形品としてなるものとすることができる。また、上述した各形態は、ポケット３（４）をラベルとした接着品としてなるものとすることができる。従って、シート材Ｓ1（Ｓ2）としては、例えば、合成樹脂材料に限定されることなく、合成樹脂製のシート材以外にも、例えば、紙シートや、紙シートに合成樹脂材料をコーティングしたものなどが挙げられる。
【００４１】
なお、本発明に従うポケット３（４）は、ボトル１の外側面１ｆに対し、受け板部３ｃ（４ｃ）の下端３ｅ1（４ｅ1）が接するように設けることが好ましく、更には、受け板部３ｃ（４ｃ）の下端３ｅ1（４ｅ1）がボトル１の外側面１ｆに液密状態に固定されることが好ましい。但し、本発明に従えば、受け板部３ｃ（４ｃ）の下端３ｅ1（４ｅ1）が液密状態に固定されることは任意である。
【００４２】
上述したところは、本発明の一形態を示したに過ぎず、特許請求の範囲内において、種々の変更を加えることができる。例えば、上述した各形態の押圧ヘッド２が、ボトル１の軸線周りに回転させることもできるため、ボトル１に対するポケット３（４）のレイアウトは、ノズル２ｂの位置に合わせて適宜、変更することができる。また、ポケット３（４）は少なくとも１つ設ければよく、ボトル１の胴部周りに複数設けることで、押圧ヘッド２がボトル１の軸線周りを回転する場合に対応させることができる。
【００４３】
上述の各形態は、押圧ヘッドを操作片としてポンプ付き容器として説明したが、かかる吐出器は、これに限定されるものではない。上述の各形態に採用された各構成はそれぞれ、互いに適宜、組み合わせることができる。
【産業上の利用可能性】
【００４４】
本発明によれば、消毒薬を内容液とする容器に限らず、シャンプー、コンディショナ及び液体石鹸等を内容液とする容器にも適用することができる。
【符号の説明】
【００４５】
１    合成樹脂製ボトル（容器本体）
１ｆ  ボトル外側面
２    ポンプ（吐出器）
２ａ  押圧ヘッド
２ｂ  ノズル
２ｅ  ノズル先端開口
３    ポケット
３ａ  固定部
３ｂ  蛇腹部
３ｂ1 固定部側部位
３ｂ2 受け板部側部位
３ｃ  受け板部
３ｃ1  摘み部
４    ポケット
４ａ  固定部
４ｂ  蛇腹部
４ｃ  受け板部
Ｌ1〜Ｌ3  折り線
Ｓ1   シート材
Ｓ2   シート材
【図１】
0005491165.tif 000002
【図２】
0005491165.tif 000003
【図３】
0005491165.tif 000004
【図４】
0005491165.tif 000005
【図５】
0005491165.tif 000006
【図６】
0005491165.tif 000007